(57)【要約】【課題】通信圏外において機能制限を行う携帯端末において、通信圏外となる場所への移動を検知した場合であっても、ユーザが端末を保持している可能性が高い状況では機能制限を行わないようにする。【解決手段】本発明の携帯端末は、基地局との通信が通信圏内か通信圏外かを検出する圏外検出手段と、前記圏外検出手段において通信圏外を検出した場合に、携帯端末の機能制限を行う機能制御手段と、特定の場所への入出場を検出する入出場検出手段と、を備え、前記機能制御手段は、前記圏外検出手段において通信圏外を検出し、かつ前記入出場検出手段において前記特定の場所への入場を検出した場合には、前記携帯端末の機能制限を解除する。【選択図】図１
2013005003.tif 000002
【特許請求の範囲】
【請求項１】
基地局との通信が通信圏内か通信圏外かを検出する圏外検出手段と、
前記圏外検出手段において通信圏外を検出した場合に、携帯端末の機能制限を行う機能制御手段と、
特定の場所への入出場を検出する入出場検出手段と、を備え、
前記機能制御手段は、前記圏外検出手段において通信圏外を検出し、かつ前記入出場検出手段において前記特定の場所への入場を検出した場合には、前記携帯端末の機能制限を解除する携帯端末。
【請求項２】
前記入出場検出手段は、非接触ＩＣ回路により特定の場所への入出場を検出する請求項１記載の携帯端末。
【請求項３】
前記入出場検出手段は、加速度センサ、ＧＰＳ、ＥＴＣのいずれかにより特定の場所への入出場を検出する請求項１または請求項２記載の携帯端末。
【請求項４】
前記入出場検出手段は、ハンズフリーキット接続部により特定の場所への入出場を検出する請求項１から請求項３のいずれかに記載の携帯端末。
【請求項５】
前記機能制御手段は、前記入出場検出手段において検出された特定の場所の種類に応じて前記携帯端末の機能制限を選択的に解除する請求項１から請求項４のいずれかに記載の携帯端末。
【発明の詳細な説明】
【技術分野】
【０００１】
本発明は、携帯電話等の携帯端末において、個人情報保護、第三者による不正利用防止に関するものである。
【背景技術】
【０００２】
携帯端末では、紛失時の個人情報保護、第三者による不正利用を防ぐため、特定の機能、情報の閲覧に制限を掛けることできる。しかし、普段からこのような機能を有効にすると、ユーザは特定の機能を利用する際に、毎回機能制限を解除する操作をしなければならないため、ユーザの利便性が低下してしまう。そのため、普段は携帯端末の機能制限を無効にしておき、紛失したときには遠隔操作で機能制限を掛けるというサービスが知られているが、紛失した携帯端末を悪意のある第三者が拾得し、基地局との通信を遮断して通信圏外の状態にしてしまうと、遠隔操作による機能制限を掛けることが出来なかった。
【０００３】
このような問題を解決するため、携帯端末が通信圏外の状態になった場合に自動的に機能制限を掛けるという方法が提案されている（例えば特許文献１）。
【先行技術文献】
【特許文献】
【０００４】
【特許文献１】特開２００８−２２７５５７号公報
【発明の概要】
【発明が解決しようとする課題】
【０００５】
しかしながら、特許文献１に記載された方法では、通信圏外になる度に携帯端末を機能制限するためユーザの利便性の低下につながりやすい。例えば、本来のユーザが携帯端末を所有しながら、トンネル内、郊外へ移動する等し、やむを得ず通信圏外になってしまった場合にも、携帯端末がロックされてしまうという問題があった。
【０００６】
本発明は、このような従来の問題に鑑みてなされたものであり、通信圏外へ移動した場合に機能制限を掛ける機能を有する携帯端末において、通信圏外となる場所への移動を検知した場合であっても、ユーザが端末を保持している可能性が高い状況では機能制限を行わないようにすることで、ユーザの利便性の低下を防ぐことが出来る携帯端末を提供する物である。
【課題を解決するための手段】
【０００７】
本発明の携帯端末は、基地局との通信が通信圏内か通信圏外かを検出する圏外検出手段と、前記圏外検出手段において通信圏外を検出した場合に、携帯端末の機能制限を行う機能制御手段と、特定の場所への入出場を検出する入出場検出手段と、を備え、前記機能制御手段は、前記圏外検出手段において通信圏外を検出し、かつ前記入出場検出手段において前記特定の場所への入場を検出した場合には、前記携帯端末の機能制限を解除する構成となっている。
【発明の効果】
【０００８】
本発明によれば、通信圏外において機能制限を行う携帯端末において、通信圏外となる場所への移動を検知した場合であっても、ユーザが端末を保持している可能性が高い状況では機能制限を行わないようにすることで、ユーザの利便性の低下を防ぐことが出来る。
【図面の簡単な説明】
【０００９】
【図１】本発明の実施の形態における携帯端末の構成を示す図
【図２】本発明の実施の形態における携帯端末の動作を説明するフローチャート
【発明を実施するための形態】
【００１０】
以下、本発明を実施するための形態について、図面を用いて詳細に説明する。
【００１１】
図１は、本実施の形態における携帯端末の構成を示す図、図２は、本実施の形態における携帯端末の動作を説明するフローチャートである。
【００１２】
本実施の形態における携帯端末は、図１に示すように、通信圏外を検出する圏外検出部１０１と、特定の場所への入出場を検出する入出場検出部１０２と、圏外検出部１０１と入出場検出部１０２からの情報に基づいて携帯端末の機能を制御する機能制御部１０３と、機能制御部１０３からの制御情報に基づいて携帯端末内部の情報を読み出す情報読み出し部１０４と、機能制御部１０３からの制御情報に基づいて携帯端末で実行されるアプリケーションを制御するアプリ制御部１０５を備える。
【００１３】
例えば、情報読み出し部１０４で読み出される情報としては、個人情報である電話帳、アドレス帳の登録情報や、メール送受信情報などがあり、アプリ制御部１０５で制御されるアプリケーションとしては、メールアプリや電子マネーアプリなどがある。
【００１４】
次に、本実施の形態における携帯端末の動作について、図２のフローチャートを用いて説明する。
【００１５】
図２に示すように、まず、圏外検出部１０１は携帯端末が通信圏内にいるか通信圏外にいるかを検出する（Ｓ１０１）。携帯端末が通信圏外にある場合にはＳ１０３の処理に移り、携帯端末が通信圏内にある場合には処理を終了する（Ｓ１０２）。そして、Ｓ１０３では、携帯端末が通信圏外となったことを受けて機能制限を開始する（Ｓ１０３）。
【００１６】
次に、入出場検出部１０２により特定の場所への入出場を検出する（Ｓ１０４）。特定の場所への入場を検出した場合（Ｓ１０５：入場）にはＳ１０６に移行して携帯端末の機能制限を解除し、特定の場所からの出場を検出した場合（Ｓ１０５：出場）にはＳ１０７に移行して携帯端末の機能制限を開始する。Ｓ１０７に移行して機能制限が開始された場合は処理を終了するが、Ｓ１０６に移行して機能制限が解除された場合は、特定の場所からの出場を検出するまで機能制限の解除が継続される。
【００１７】
入出場検出部１０２による入出場の検出は、非接触ＩＣによる鉄道改札の通過検出であっても良い。この場合、地下鉄での移動時や、鉄道利用時にトンネルを通過することにより通信圏外となる場合であっても、ユーザが携帯端末を保持している可能性が高いとみなして通信圏外時の機能制限を解除することが出来る。
【００１８】
また、入出場検出部１０２による入出場の検出は、加速度センサによる高速移動状態への遷移検出、或いはＥＴＣの利用検出であっても良い。この場合、高速道路を利用し郊外の通信圏外へ移動した場合であっても、ユーザが携帯端末を保持している可能性が高いとみなして通信圏外時の機能制限を解除することが出来る。
【００１９】
また、入出場検出部１０２による入出場の検出は、携帯端末へのハンズフリーキットの接続であっても良い、この場合、例えば、自家用車を利用して郊外の通信圏外へ移動した場合であっても通信圏外時の機能制限を解除することが出来る。
【００２０】
また、入出場検出部１０２による入出場の検出は、非接触ＩＣを家の鍵として利用することであっても良い。この場合、自宅にいて携帯端末をオフラインモードとして使用する場合、地下室への移動により通信圏外となった場合であっても、通信圏外時の機能制限を解除することが出来る。
【００２１】
このように、本実施の形態によれば、通信圏外において機能制限を行う携帯端末において、通信圏外となる場所への移動を検知した場合であっても、ユーザが端末を保持している可能性が高い状況では機能制限を行わないようにすることできる。このため、ユーザが携帯端末を通信圏外時に機能制限を掛ける設定にしていた場合におけるユーザの利便性を向上させることが出来る。
【００２２】
なお、入出場検出部１０２により検出する特定の場所の種類に応じて、機能制御部１０３の制御内容を選択的に変更しても構わない。例えば、非接触ＩＣにより鉄道改札への入場を検出した場合にはメールアプリは機能制限が解除されるが、周囲への配慮が必要な音声通話機能は機能制限が継続されるようにしてもよい。また、加速度センサやＥＴＣにより高速道路への入場を検出した場合には、ナビゲーション機能の機能制限が解除されるようにしてもよい。
【産業上の利用可能性】
【００２３】
本発明は、通信圏外において機能制限を行う携帯端末の利便性を向上させることが出来るため、携帯電話等、無線通信機能を持つ携帯端末に有用である。
【符号の説明】
【００２４】
１０１    圏外検出部
１０２    入出場検出部
１０３    機能制御部
１０４    情報読み出し部
１０５    アプリ制御部
【図１】
2013005003.tif 000003
【図２】
2013005003.tif 000004